(57)【特許請求の範囲】
【請求項１】
機構板に球タンクと、該球タンクのパチンコ球を球払出装置に導く球誘導樋と、該球払出装置から払出されたパチンコ球を打球供給皿に導く球排出樋とを備えたパチンコ機において、
前記球払出装置は、パチンコ球が流下する球通路と、常態において前記球通路に突出してパチンコ球の流下を制止する一方、パチンコ球を払出し又は球抜きする場合には前記球通路から没してパチンコ球を流下させる球停留手段とを備え、
前記球払出装置を前記機構板に取付ける取付手段は、第１位置から第２位置に移動させると該球払出装置が該機構板に装着するようになっていて、第２位置から第３位置に移動させると前記球停留手段に係合し該球停留手段が前記球通路から没する状態を維持するようになっていることを特徴とするパチンコ機。
【請求項２】
機構板に球タンクと、該球タンクのパチンコ球を球払出装置に導く球誘導樋と、該球払出装置から払出されたパチンコ球を打球供給皿に導く球排出樋とを備えたパチンコ機において、
前記球排出樋に、パチンコ球を球抜きする球抜樋を分岐させると共に、前記球払出装置から流下したパチンコ球を該球排出樋と該球抜樋のいずれに流入させるかを切替る切替手段を設け、
前記球払出装置を前記機構板に取付ける取付手段は、第１位置から第２位置に移動させると該球払出装置が該機構板に装着するようになっていると共に前記切替手段に係合し、第２位置から第３位置に移動させると前記切替手段を前記球抜樋が開放する方向へ回動させるようになっていることを特徴とするパチンコ機。
【請求項３】
機構板に球タンクと、該球タンクのパチンコ球を球払出装置に導く球誘導樋と、該球払出装置から払出されたパチンコ球を打球供給皿に導く球排出樋とを備えたパチンコ機において、
前記球払出装置は、パチンコ球が流下する球通路と、該球通路に出没動する球停留手段とを備え、
前記球通路は、前記球誘導樋からパチンコ球を流入させる供給通路部と、該供給通路部と連通しパチンコ球を前記球排出樋へと導く払出通路部と、該供給通路部に連通しパチンコ球を球抜きする球抜通路部とによって構成されていて、
前記球停留手段は、常態において前記球通路の供給通路部に突出してパチンコ球の流下を制止する一方、パチンコ球を払出す場合には前記供給通路部から没してパチンコ球を流下させるようになっており、
さらに、前記球通路には、前記供給通路部のパチンコ球を前記払出通路部と前記球抜通路部とのいずれに流入させるかを切替る切替手段が設けられていて、
前記球払出装置を前記機構板に取付ける取付手段は、第１位置から第２位置に移動させると前記球払出装置が前記機構板に装着するようになっていて、第２位置から第３位置に移動させると前記切替手段をパチンコ球が前記球抜通路部へと流入するように切替るようになっていることを特徴とするパチンコ機。
【請求項４】
前記取付手段を第２位置から第３位置に移動させると、該取付手段が前記球停留手段に係合し該球停留手段が前記球通路から没する状態を維持するようにしたことを特徴とする請求項３記載のパチンコ機。
【発明の詳細な説明】
【０００１】
【発明の属する技術分野】
本発明は、裏機構板に球払出装置が着脱自在に装着されるパチンコ機に関するものである。
【０００２】
【従来の技術】
従来のパチンコ機は、周知のように合成樹脂製の機構板が装着されており、該機構板には球タンクのパチンコ球を球受皿に払出す球払出装置が設けられている。そして、球払出装置は、最先のパチンコ球を球止めする球停留手段を備え、該球停留手段を作動することにより、球タンクに貯留されるパチンコ球を球排出樋に払出して、払出されたパチンコ球は上部球受皿に導かれる。また、球払出装置に球抜き手段または通路の切替手段を備えたものは知られている。
【０００３】
【発明が解決しようとする課題】
しかしながら、従来のパチンコ機にあっては、球払出装置は機構板にビス着または止着具により取付けられ、球抜き手段または切替手段は全く別に設けられ、部品点数が多くコスト高になると共に作業性の悪いものとなっていた。
【０００４】
本発明は上記した問題に鑑みてなされたもので、その目的とするところは、球払出装置が簡単に取付けでき、その取付手段に別の付加価値を備えたパチンコ機を提供することにある。
【０００５】
【課題を解決するための手段】
上記目的を達成するために、請求項１記載の発明は、機構板に球タンクと、該球タンクのパチンコ球を球払出装置に導く球誘導樋と、球払出装置から払出されたパチンコ球を打球供給皿に導く球排出樋を備えたパチンコ機において、前記球払出装置はパチンコ球が流下する球通路と、該球通路の最先のパチンコ球の流下を制止し得る球停留手段を備え、該球払出装置を機構板に取付ける取付手段に前記球通路の球抜手段を備えたことを特徴とする。
【０００６】
また、請求項２記載の発明は、請求項１記載の発明において、前記取付手段は、第１位置から第２位置に移動させることにより球払出装置を機構板に装着し、第２位置から第３位置に移動させることにより前記球停留手段を作用するようにしたことを特徴とする。
【０００７】
また、請求項３記載の発明は、機構板に球タンクと、該球タンクのパチンコ球を球払出装置に導く球誘導樋と、球払出装置から払出されたパチンコ球を打球供給皿に導く球排出樋を備えたパチンコ機において、前記球払出装置から払出したパチンコ球を球排出樋と球抜樋とに切替る切替手段を備え、該球払出装置を機構板に取付ける取付手段に前記切替手段の操作機能を備えたことを特徴とする。
【０００８】
また、請求項４記載の発明は、機構板に球タンクと、該球タンクのパチンコ球を球払出装置に導く球誘導樋と、球払出装置から払出されたパチンコ球を打球供給皿に導く排出樋を備えたパチンコ機において、前記球払出装置は球誘導樋と連通する供給通路部と、該供給通路部の最先のパチンコ球の流下を制止し得る球停留手段と、供給通路部のパチンコ球を球払出通路部と球抜通路部とに切替る切替手段とを備え、該切替手段に球払出装置の取付手段を備えたことを特徴とする。
【０００９】
また、請求項５記載の発明は、請求項４記載の発明において、前記切替手段を第１位置から第２位置に移動させることにより球払出装置が機構板に装着され、第２位置から第３位置に移動させることにより球抜通路部を開放するようにしたことを特徴とする。
【００１０】
また、請求項６記載の発明は、請求項４記載の発明において、前記切替手段は前記球停留手段が操作できないようにする不正防止手段を備えたことを特徴とし、遊技者がパチンコ機の前面側の打球供給皿や下部球受皿から余剰球排出樋，球排出樋を介して球払出装置部分に針金等を差込もうとしても、不正防止部材により針金の侵入が阻止され、故意にパチンコ球を払出す不正行為が防止される。
【００１１】
また、請求項７記載の発明は、請求項４または６記載の発明において、前記切替手段を切替操作することにより、球停留手段を作動して上方に位置するパチンコ球を前記球抜通路部に導くようにしたことを特徴とする。
【００１２】
また、請求項８記載の発明は、請求項６記載の発明において、前記不正防止手段は常にはパチンコ球の荷重により傾動するように揺動自在に設けるようにしたことを特徴とし、前記切替操作部材により上動規制するのが好ましい。
【００１３】
また、請求項９記載の発明は、請求項１，３または４記載の発明において、前記球停留手段は、最先のパチンコ球を支持する作動体と該作動体を作動する電気的駆動源とを備えたことを特徴とする。
【００１４】
また、前記不正防止部材の切替によって前記作動体をパチンコ球の流下を制止する位置から開放する位置に変換するのが好ましい。
【００１５】
【発明の実施の形態】
次に、本発明の実施の形態を図面を参照して説明する。図１は本発明が適用されるパチンコ機の正面図、図２はその裏面図である。図１において、１はパチンコ機の前面枠、２は前面枠１の裏面に着脱自在に取付けられる遊技盤である。前記前面枠１には、遊技盤２の前面および下部を覆うガラス扉枠３および前面板４が開閉自在に装着される。そして、前面板４の前面に打球を供給する打球供給皿５が装着され、前面枠１の下部には打球供給皿５の余剰球を貯留する下部球受皿６と操作ハンドル７が装着されている。
【００１６】
前記遊技盤２の裏面には合成樹脂製の機構板８が装着されており、該機構板８の裏面上部には球タンク９が固着されている。また、球タンク９の下方にはパチンコ球を整列して導き出す球誘導樋としてのタンクレール１０およびカーブレール１１が配設され、その下流端に球払出装置１２が接続される。
【００１７】
前記球払出装置１２の下方には、該球払出装置１２から払出されたパチンコ球を球導出路１３を介して前記上部球受皿５に導く球排出樋１４と上部球受皿５の余剰球を流下樋１５を介して下部球受皿６に導く余剰球排出樋１６が後面開放した樋状に形成され、開放側を裏カバー１７で閉塞している。１８は、カーブレール１１および球払出装置１２と連通する球抜樋である。また、球払出装置１２の下方には払出されるパチンコ球を貸球および賞球である遊技球と球抜球を振り分ける切替手段としての振分装置１９が設けられ、該振分装置１９は、球払出装置から払出されたパチンコ球を球排出樋１４と球抜樋１８に振り分ける分岐部に支軸２０を支点として切替レバー２１を設けている。１９ａ，１９ｂは切替レバー２１の先端が軽く係止する係止部であり、２１ａは裏カバー１７から突出する操作ピンである。そして、通常振り分けられた賞球または貸球は球排出樋１４を介してパチンコ機前面の上部球受皿５に導かれるように切替レバー２１の先端が係止部１９ａに係止して球抜樋１８を閉塞した状態になっている。
【００１８】
前記球払出装置１２は、図３および図４に示すように、ケース体２２と最先のパチンコ球を停留する球停留装置２３とからなり、ケース体２２は前記カーブレール１１と連通する球通路２４を有するケース枠体２２ａとその前面を覆うカバー体２２ｂとで構成され、前記球通路２４は緩やかな下傾状に形成された供給通路部２４ａと鉛直な払出通路部２４ｂとで構成される。また、前記球停留装置２３は、作動体２５と電気的駆動源としてのソレノイド２６とからなり、作動体２５はリンク部材２７を介してソレノイド２６と連繋している。前記ケース枠体２２ａの上部には取付片２９が設けられている。
【００１９】
前記作動体２５は、払出通路部２４ｂの内周側に支軸３０により揺動自在に軸支され、球通路２４に進退する支持部３１が嘴状に尖っており、該支持部３１の上面が支軸３０を中心とする円弧面状に形成され、支持部３１下面は、下方に向って先細テーパ状に形成されている。そして該作動体２５の基部に長孔３２を設け、該長孔３２をリンク部材２７の係合ピン３４に係合させている。リンク部材２７は、全体形状をく字状に形成し、作動体２５の下方に位置して軸３５により回動自在に軸着され、後端に二股状の係合部３６が形成されており、ソレノイド２６のプランジャー３７に固着された操作体３８の突片３９を係合させている。そして、ソレノイド２６が励磁作動するとリンク部材２７を介して作動体２５が支軸３０を支点として反復回転し、先端支持部３１が球通路２４の内周壁に開設された窓孔４０より球通路２４に出没動することで、供給通路部２４ａの最先パチンコ球の流下を制止し得るように構成している。なお、作動体２５が臨む球通路２４は、垂直状通路に限られることなく、球圧を球通路２４で受ける斜状通路に設けるようにしてもよい。
【００２０】
また、４１は球計数用センサで、該球計数用センサ４１は投光器４１ａと受光器４１ｂとからなる光学式センサとのコ字状取付枠４２で構成され、該球計数用センサ４１は支持部３１で支持されるパチンコ球の僅かに下流位置で、しかも球通路２４の中心線からずれた位置でその光軸が交差するように配置される。そして該支持部３１による制止が開放された直後のパチンコ球が光軸を遮ることで該パチンコ球を検知し得るように配置される。言い換えれば、支持部３１により制止されているパチンコ球は光軸を遮断することなく未だ検知されない状態にある。４３は球計数用センサ４１を囲う遮蔽板であり、断面コ字型で平行な二片の両先端縁に係止孔４４，４４が設けられており、前記ケース体２２に設けられた爪部４５，４５に遮蔽板４３の弾性を利用して係合することにより取付けることができる。なお、この際、遮蔽板４３がケース枠体２２ａとカバー体２２ｂとに跨って取付けられることにより、ビスを用いることなく同時に球払出装置１２の組立が可能となる。
【００２１】
また、前記リンク部材２７およびソレノイド２６のプランジャー３７に固着された操作体３８に作動体２５を球通路２４側から操作できないように不正防止用のロック手段４６を設けている。該ロック手段４６は、リンク部材２７の下方に設けられる突部４７と操作体３８に設けられる衝止部４８とで構成される。該突部４７および衝止部４８は、図７に示すように常に対峙状態にあり、前記リンク部材２７の支軸３５の下方に位置している。
【００２２】
しかして、前記ソレノイド２６の下方に位置して取付手段としての可動体５０をケース体２２に突設した支軸５１に回動自在に設けている。可動体５０は、板状部の上下に前記支軸５１に嵌合する軸筒部５２とカバー体２２ｂの開口５３から上面に突出する操作部５４が形成され、板状部の側面に係合部としての係合突片５５が突設され、板状部の下面に球抜操作片５６を形成している。また、板状部の上面に凹溝５７が周設され、カバー体２２ｂには前記凹溝５７が嵌る環状リブ５８が形成され、該環状リブ５８が前記凹溝５７に嵌ることにより針金等を差し込んで作動体２５を作動して不正にパチンコ球を払出すことを防止するようになっている。５９はケース枠体２２ａ内側に形成された位置決め用の凹部６０ａ，６０ｂ，６０ｃに嵌まるリブ型の小凸部である。また、可動体５０をカバー体２２ｂ側から前記支軸５１に回動可能な状態にビス着するようにして、可動体５０を装着すると共に球払出装置１２の組付けを行うようにしてもよい。
【００２３】
一方、機構板８のカーブレール１１の下方に位置した板状部８ａには図５に示すように球払出装置１２を所定位置に正確に位置づけるためにケース体２２の前面より左右方向にやや大きい面積を有する取付部位６１が形成され、その上部位置に前記取付片２９に係合し得る係止部６２が設けられ、周囲にリブ状に形成した規制部６３が設けられている。そして、前記係合突片５５が係合し得る係合部６４が突設されている。
【００２４】
そして、上記構成の球払出装置１２を取付部位６１に取付けるには、図５鎖線に示す可動体５０の小凸部５９が位置決め用の凹部６０ａに嵌った第１位置にある状態で、前記取付片２９を係止部６２に差込み、球払出装置１２を板状部８ａに当接して前記リブ状に形成した規制部６３で支持させ、この状態で可動体５０を小凸部５９が位置決め用の凹部６０ｂに嵌る第２位置に回動させると、図５ないし図７に示すように係合突片５５が係合部６４に係合して球払出装置１２が機構板８に取り付けられる。これにより、球払出装置１２は、規制部６３および取付片２９，係合突片５５の係合により、前後左右上下にいかに衝撃を受けても係合が外れることがなく強固に固定されることとなる。
【００２５】
この状態で、上記のように構成されるパチンコ機は、球払出制御装置からの指令により球払出装置１２のソレノイド２６が励磁され、リンク部材２７が回動し係合ピン３４が長孔３２を移動して衝止部４８と突部４７の対峙位置がずれて、作動体２５が図５鎖線に示したように回動して支持部３１が窓孔４０から没し、支持部３１に支持されていたパチンコ球が制止されなくなることで、自重により該パチンコ球が払出通路部２４ｂを介して球排出樋１４に払出される。そして、球計数用センサ４１が所定数のパチンコ球を検出したところで該球払出制御装置から再び指令が出て支持部３１が球通路２４に突出することでパチンコ球の払出しが停止する。そして、球排出樋１４に払出されたパチンコ球は、球導出路１３を介して上部球受皿５に導かれる。
【００２６】
また、本発明において、遊技者がパチンコ機の前面側の上部球受皿５の球導出路１３または下部球受皿６の流下樋１５からピアノ線等の不正具Ｗを差込み、余剰球排出樋１６，球排出樋１４を介して球払出装置１２を作動させようとしても、突部４７が衝止部４８に衝止して操作体３８を横方向に押すため、プランジャー３７を上動させる作用力が働かず、作動体２５を作動させることができないので、故意に球停留手段２３を作動させてパチンコ球を払出すという不正行為を未然に防止することができる。さらに、支持部３１下面を下方に向って先細テーパ状に形成していることから、作動体２５を上方に押し上げようとしても、不正具が該テーパーにより滑り、作動体２５を作用させ難くなる。
【００２７】
また、球払出装置１２が正規な作動をしてパチンコ球を払出しているときに、不正具を挿入して、払出終了後も作動体２５を退動している状態に維持して不正にパチンコ球を払出そうとしても、支持部３１の先端が先細テーパ状に形成されているために、該テーパーにより不正具が滑り、作動体２５の支持部３１が球通路２４に臨むので、パチンコ球の流下が阻止され不正にパチンコ球を払出すことはない。
【００２８】
次に、球払出装置１２内のパチンコ球を球抜きするには、まず振分装置１９の操作ピン２１ａを操作して切替レバー２１を回動させ、切替レバー２１の先端を係止部１９ｂに係止して球排出樋１４側を閉塞し、球抜樋１８側を開放させた状態で、小凸部５９が位置決め用の凹部６０ｂに嵌った第２位置にある状態の可動体５０を、小凸部５９が位置決め用の凹部６０ｃに嵌る第３位置に回動すると、係合突片５５が係合部６４に係合した状態で球抜操作片５６が図８に示すように操作体３８を強制的に上動した状態となり、リンク部材２７を介して作動体２５が図５鎖線に示したように回動して支持部３１が窓孔４０から没し、支持部３１に支持されていたパチンコ球が払出通路部２４ｂを介して球抜樋１４に排出される。そして、球抜き終了後、可動体を小凸部５９が凹部６０ｂに嵌った第２位置に回動すると、球抜操作片５６と操作体３８の接触が解除され支持部３１が窓孔４０から臨んでパチンコ球の流下が阻止される状態になる。なお、本実施の形態は操作体３８を操作して球抜作用するようにしたが、リンク部材２７または直接作動体２５を作用するようにしてもよい。
【００２９】
一方、球払出装置１２を取付部位６１から外すときは、前記可動体４４を小凸部５９が位置決め用の凹部６０ｂまたは凹部６０ｃに嵌った第２，３位置にある状態から凹部６０ａに嵌る第１位置の状態に回動して係合突片５５を係合部６４の規制を解き、係止部６２から取付片２９を外すことで、簡単に取り外すことができる。このように球払出装置１２に取付手段をユニット化することで組立ておよび作業効率を高めることができる。
【００３０】
なお、可動体５０は、必ずしも回動式に限ることなくスライド式でもよく、さらに押圧式としてもよく、押圧式の場合にはテーパ面を有する弾性係止体を押圧することで球払出装置の取付けおよび球抜きをすることも可能である。また、可動体５０を球払出装置１２に設けることなく機構板８側に設けるようにしてもよく、可動体５０を回動またはスライド，押圧して球払出装置１２の装着および球抜きを行うことができる。
【００３１】
図９は球払出装置１２の取付手段としての可動体５０に前記切替手段としての振分装置１９の操作機能を備えた実施の形態を示し、可動体５０に操作手段としての操作リンク９３が設けられ、該操作リンク９３の先端部に前記切替レバー２１の操作ピン２１ａが嵌るガイド溝９４が形成される。このように構成される球払出装置１２は取付部位６１に装着し、可動体５０を図９一点鎖線に示す第１位置から同図実線に示す第２位置に回動することにより、係合突片５５が係合部６４に係合し球払出装置１２が機構板８の取付部位６１に固定される。このとき、ガイド溝９４の開口９４ａから前記操作ピン２１ａが受け入れられた状態にある。そして、球払出装置１２が固定される可動体５０の第２位置から可動体５０を図９二点鎖線に示す第３位置に回動することにより、係合突片５５が係合部６４に係合した状態でガイド溝９４により操作ピン２１ａを操作して、切替レバー２１が回動して球排出樋１４側を閉塞し球抜樋１８側を開放させることができる。そして、前記実施の形態のように球抜操作片５６によって操作体３８を強制的に上動させるか、信号によりソレノイド２６を作動させて球抜きを行うことができる。なお、開口９４ａにかえて該開口部の下面をテーパ状にして、第１位置から第２位置に回動する際に操作リンク９３が該操作リンク９３の弾性を利用してテーパにより操作ピン２１ａを乗り越えてガイド溝９４に嵌るようにしてもよい。また、切替手段を操作することにより球払出装置１２を取付ける機能を備えるようにしてもよい。
【００３２】
図１０ないし図１５は、他の実施の形態の球払出装置１２Ａを示す。なお、前記実施の形態と同じ構成要素には同一符号を付して説明する。球払出装置１２Ａは、図１１に示すようにケース体２２と最先のパチンコ球を停留する球停留装置２３とからなり、ケース体２２は前記カーブレール１１と連通する球通路２４を有するケース枠体２２ａとその前面を覆うカバー体２２ｂとで構成され、前記球通路２４は垂直状に形成された供給通路部２４ａと二股状に分岐する払出通路部２４ｂと球抜通路部２４ｃとでほぼｈ字状に形成される。
【００３３】
該球払出装置１２Ａの球停留手段２３は作動体２５と電気的駆動源としてのソレノイド２６からなり、該作動体２５は球通路２４の内周側に支軸３０により鉛直面内で回転自在に軸支され、先端に嘴状に尖った支持部３１が該支軸３０を中心とする円弧面状に形成され、基部背面に二股状の係合部６５を設けると共に、ソレノイド２６のプランジャー３７に固着された操作体３８の突片３９を該係合部６５間に遊嵌し、該ソレノイド２６が励磁作動すると作動体２５が支軸３０を支点として反復回転して、支持部３１が窓孔４０より出没動することで供給通路部２４ａの最先のパチンコ球の流下を制止し得るように構成している。
【００３４】
また、図１４に示すように払出通路部２４ｂと球抜き通路２４ｃの分岐点に位置して切替手段としての通路弁部材６６および不正防止部材としての閉鎖部材６７が軸筒６８に揺動自在に軸支されている。通路弁部材６６は閉鎖部材６７の筒状軸支部６９の開口７０に軸支部７１を臨ませて軸筒６８に軸支して、閉鎖部材６７が回動規制部７２ａ，７２ｂの範囲内で揺動自在に軸支されている。また、通路弁部材６６および閉鎖部材６７を操作する切替操作部材７３がカバー体２２ｂを介して装着され、該切替操作部材７３は、表面に操作摘み７４が設けられ、裏面に連繋ピン７５が垂設されると共に、周縁リブ壁によって形成された空間部Ｓに係止突起７６が設けられている。そして、カバー体２２ｂには前記連繋ピン７５が臨む円弧状のガイド長孔７８および前記空間部Ｓに位置して三角形状のガイド凸部７９および衝止片８０とで係止凹部８１ａ，８１ｂ，８１ｃが形成されている。
【００３５】
前記閉鎖部材６７は、軸支部６９を介して球通路２４に臨む板状部６７ａと操作部６７ｂとで略ヘ字状に形成され、重錘８３により常に板状部６７ａがパチンコ球の流下方向に下傾した状態で球通路２４を閉塞しており、重錘８３はパチンコ球が閉鎖部材６７に載ると揺動する重さが選ばれる。また、板状部６７ａの先端には操作片８４が一体に突出形成されており、前記作動体２５の下方に設けられる係止ピン８５と連繋するようになっている。なお、切替操作部材７３は通路弁部６６を一体に形成するようにしてもよい。
【００３６】
しかして、通路弁部材６６には前記切替操作部材７３の連繋ピン７５が嵌挿される係合筒部８２およびＬ型の係止片８６が設けられ、ケース枠体２２ａの機構板８側の側壁に凸形の透溝８８が穿設される。
【００３７】
上記ユニット構成の球払出装置は１２Ａは、ケース枠体２２ａにソレノイド２６および作動体２５を装着後、通路弁部材６６を閉鎖部材６７の筒状軸支部６９の開口７０に軸支部７１を臨ませて、透溝８８に係止片８６を挿通して該係止片８６をケース枠体２２ａの裏面側に突出した状態で軸筒６８に軸支し、前記切替操作部材７３の連繋ピン７５をガイド長孔７８から球通路２４に臨ませて前記通路弁部材６６に設けられた係合筒部８２に嵌挿させ、軸筒６８にビス８９着することにより球払出装置１２Ａが組立てられ、切替操作部材７３と通路弁部材６６とが一体となって回動する。また、通常切替操作部材７３は係止突起７６が係止凹部８１ａに係止して、図１２鎖線に示す第１位置にある。
【００３８】
一方、機構板８の取付部位６１には図１０に示すように前記取付片２９に係合し得る係止部６２が設けられ、周囲にリブ状に形成した規制部６３が設けられ、前記透溝８８に合致して前記係止片８６が挿通し得る切欠き９０ａを有する凸形の係止溝９０が穿設されている。上記のように構成される球払出装置１２Ａを機構板８に取付けるには、取付片２９を係止部６２に差込み、ケース枠体２２ａの裏面側に突出した係止片８６を切欠き９０ａに合致させて係止溝９０に挿通し、切替操作部材７３を係止突起７６が係止凹部８１ｂに係止する図１２実線に示す第２位置に回動することにより、係止片８６が係止溝９０の裏面縁に係合して球払出装置１２Ａを機構板８に取付設置することができる。このとき図１４に示すように通路弁部材６６は、球抜通路部２４ｃを閉鎖した状態にある。
【００３９】
上記のように取付けられた球払出装置１２Ａは、球払出制御装置からの指令によりソレノイド２６が励磁されると、図１４鎖線に示したように作動体２５が回動して支持部３１が窓孔４０から没し、支持部３１に支持されていたパチンコ球が制止されなくなることで、自重により該パチンコ球が払出通路部２４ｂに払出され、閉鎖部材６７を押し下げながら球排出樋１４に払出され、球導出路１３を介して上部球受皿５に導かれる。そして、払出されたパチンコ球が、球計数用センサ４１によって所定数検出したところで球払出制御装置から再び指令が出て、支持部３１が球通路２４に突出することでパチンコ球の払出しが停止する。そして、閉鎖部材６７は自重により回動規制部７２ａ，７２ｂにより規制され、自重により球通路２４を閉塞する図１４実線位置に復帰する。このとき、閉鎖部材６７の板状部６７ａが流下方向に下傾しているため、閉鎖部材６６は何の負担もなく揺動することができる。
【００４０】
また、本実施の形態において、遊技者がパチンコ機の前面側の上部球受皿５の球導出路１３または下部球受皿６の流下樋１５からピアノ線等の不正具を差込み、余剰球排出樋１６，球排出樋１４を介して球払出装置１２Ａの球停留手段２３を作動させようとしても、球通路２４が閉鎖部材６７により塞がれ、しかも閉鎖部材６７と通路弁部材６６とが回動規制部７２ａ，７２ｂによって規制され上流側に揺動しないので、不正具の進行は阻まれ、球払出装置１２Ａを故意に作動させてパチンコ球を払出すという不正行為を未然に防止することができる。
【００４１】
次に、球抜き操作について説明する。図１５に示すように切替操作部材７３を同図鎖線に示す係止突起７６が係止凹部８１ｂに係止する第２位置から実線に示す第３位置に回動することにより、係止片８６が係止溝９０の裏面縁に係合した状態で通路弁部材６６が球抜通路部２４ｃを閉鎖する状態から開放する状態にすると共に、係合筒部８２が閉鎖部材６７の操作部６７ｂを回動規制片９１に当接するまで押圧して板状部６７ａを上動させて球抜通路部２４ｃ側に傾動した状態とし、操作片８４が作動体２５の係止ピン８５に係止して作動体２５を上動させ支持部３１を窓孔４０から退動させる。そして、切替操作部材７３の係止突起７６が係止凹部８１ｃに係止され、閉鎖部材６７を払出通路部２４ｂを閉鎖状態で固定し、図１５実線に示すように板状部６７ａおよび通路弁部材６６がパチンコ球を球抜通路部２４ｃへ導く通路の一部となり、支持部３１で支持されていたパチンコ球を球抜き樋１８に球抜きすることができる。
【００４２】
また、本実施の形態では不正防止部材としての閉鎖部材６７によって作動体２３を連動させて球抜きをするようにしたが、切替操作部材７３の回動によって電気的信号を出して電気的駆動源を作動させて作動体２５を球通路２４から退動させるようにしてもよい。また、不正防止手段に取付手段の機能を備えるようにしてもよい。なお、上記実施の形態において球払出装置をソレノイドを用いたものとしたが本発明の請求範囲内において何等限定されるものではない。
【００４３】
【発明の効果】
以上、説明したところから明らかなように、本発明に係るパチンコ機は、球払出装置の取付手段に別の付加価値を備えるようにしたものであるから、部品点数を削減することができ、取付手段をユニット化することで組立てが楽になり取付けの作業能率を向上させることができる。
【図面の簡単な説明】
【図１】本発明が適用されるパチンコ機の正面図である。
【図２】パチンコ機の裏面図である。
【図３】球払出装置を外した状態の斜視図である。
【図４】球払出装置の分解斜視図である。
【図５】球払出装置部分の正面図である。
【図６】球払出装置の取付を示す平面断面図である。
【図７】球払出装置の作用を示す正面断面図である。
【図８】球抜き作用を示す正面断面図である。
【図９】他の実施の形態の球払出装置部分の正面図である。
【図１０】他の実施の形態の球払出装置を外した状態の斜視図である。
【図１１】図１０の球払出装置の分解斜視図である。
【図１２】球払出装置部分の正面図である。
【図１３】球払出装置の取付を示す側面断面図である。
【図１４】球払出装置の作用を示す正面断面図である。
【図１５】球抜き作用を示す正面断面図である。
【符号の説明】
５                打球供給皿
８                機構板
９                球タンク
１０              タンクレール（球誘導樋）
１１              カーブレール（球誘導樋）
１２，１２Ａ      球払出装置
１４              球排出樋
１９              振分装置（切替手段）
２３              球停留手段
２４              球通路
２４ａ            供給通路部
２４ｂ            払出通路部
２４ｃ            球抜通路部
２５              作動体（球停留手段）
２６              ソレノイド（球停留手段）
５０              可動体（取付手段，球抜手段）
５６              球抜操作片
６６              通路弁部材（切替手段，取付手段）
６７              閉鎖部材（不正防止手段）
７３              切替操作部材（切替手段）
９３              操作リンク（操作手段）
【図１】
0004621330.tif 000002
【図２】
0004621330.tif 000003
【図３】
0004621330.tif 000004
【図４】
0004621330.tif 000005
【図５】
0004621330.tif 000006
【図６】
0004621330.tif 000007
【図７】
0004621330.tif 000008
【図８】
0004621330.tif 000009
【図９】
0004621330.tif 000010
【図１０】
0004621330.tif 000011
【図１１】
0004621330.tif 000012
【図１２】
0004621330.tif 000013
【図１３】
0004621330.tif 000014
【図１４】
0004621330.tif 000015
【図１５】
0004621330.tif 000016